(57)【特許請求の範囲】
【請求項１】
乗車券類に乗車券部分と特急券部分とを含む一葉化券を処理する自動改札機であって、
前記自動改札機の本体に投入された乗車券類に記録されているデータを読取る読取手段と、
読取られたデータを基に下記の判定のいずれかの一、又はそれ以上の判定を行う判定手段と、
判定がオーケーされたときは改札通路の通過を許可し、判定がアウトとされたときは改札通路の通過を不許可とする制御手段と、
を有することを特徴とする自動改札機。
記
（１）投入された一葉化券の乗車券部分のみが有効で、その一葉化券のみが優等列車専用の自動改札機の本体（以下、「専用改札機の本体」という。）又は在来線ホームと優等列車線ホームとを区切る改札口（以下「乗換口」という。）に設置された自動改札機の本体（以下、「乗換口改札機の本体」という。）に投入されたときに、判定アウト（以下、「ＯＵＴ」と記す。）とすること。
（２）投入された一葉化券のうち、乗車券部分のみが入場側投入時に当駅入場有効、又は出場側投入時に当駅出場有効（以下の「有効」も同じ。）で、その一葉化券と当駅有効乗車券とが専用改札機の本体又は乗換口改札機の本体に同時に投入されたときに、判定ＯＵＴとすること。
（３）投入された一葉化券のうち、乗車券部分のみが有効で、その一葉化券と当駅有効特急券とが同時に専用改札機の本体又は乗換口改札機の本体に投入されたときに、一葉化券を当駅有効乗車券として処理し、判定オーケー（以下、「ＯＫ」と記す。）とすること。
（４）投入された一葉化券のうち、特急券部分のみが有効で、その一葉化券のみが専用改札機の本体又は乗換口改札機の本体に投入されたときに、判定ＯＵＴとすること。
（５）投入された一葉化券のうち、特急券部分のみが有効で、その一葉化券と当駅有効乗車券とが同時に専用改札機の本体又は乗換口改札機の本体に投入されたときに、一葉化券を当駅有効特急券として処理し、判定ＯＫとすること。
（６）投入された一葉化券のうち、特急券部分のみが有効で、その一葉化券と当駅有効特急券とが同時に専用改札機の本体又は乗換口改札機の本体に投入されたときに、判定ＯＵＴとすること。
（７）投入された一葉化券のうち、乗車券部分のみが有効で、かつ、当駅出場可能券で、その一葉化券と当駅有効乗車券とが同時に乗換口改札機の本体の入場側に投入されたときに、その一葉化券を当駅まで在来線乗車してきた券として処理し、その一葉化券と当駅有効乗車券とが同時に専用改札機の本体の入場側に投入されたときに、判定ＯＵＴとすること。
【発明の詳細な説明】
【０００１】
【発明の属する技術分野】
本発明は自動改札機に係り、特に、乗車券類に乗車券部分と特急券部分を含む一葉化券を処理する自動改札機に関する。
【０００２】
【従来の技術】
従来、図４に示されるように、在来線のホームと優等列車線ホームとを区切る改札口、いわゆる優等列車の乗換口に設置される自動改札機Ｇは、在来線側から優等列車線側へは、その自動改札機の本体（以下、自動改札機を含めて「本体」という。）の設置されている駅（本発明では、この駅を「当駅」としている。）まで乗車可能で、かつ、優等列車線側でも乗車できる乗車券と、当駅から乗車できる優等列車線に乗車できる特急券（料金券）とが本体に投入されたときに入場が許可されるように構成されている。
【０００３】
また、優等列車線側から在来線側へは、当駅まで乗車できる特急券と当駅まで乗車できる乗車券とが本体に投入されたときに出場できるように構成されている。
【０００４】
なお、図４中、Ｇ′は、在来線ａの専用自動改札機であり、Ｇ″は、優等列車線Ａの直接口に設置された専用自動改札機である。
【０００５】
【発明が解決しようとする課題】
しかしながら、上記従来の優等列車乗換口に設置される自動改札機は、投入される券が一葉化券で、その中に乗車券及び特急券が含まれる２面性のある券であって、その一部分のみが有効な場合、その有効な部分と無効な部分を補完する券が投入されたときの判定手段を有していないので、係員が処理しなければならないという不便があった。
【０００６】
そこで、本発明は、上述の２面性のある券の一部分が有効な場合に効率よく入出場処理することのできる自動改札機を提供することを目的としている。
【０００７】
【課題を解決するための手段】
本発明に係る自動改札機は、上記目的を達成するために、乗車券類に乗車券部分と特急券部分とを含む一葉化券を処理する自動改札機であって、前記自動改札機の本体に投入された乗車券類に記録されているデータを読取る読取手段と、読取られたデータを基に下記の判定のいずれかの一、又はそれ以上の判定を行う判定手段と、判定がＯＫされたときは改札通路の通過を許可し、判定がＯＵＴとされたときは改札通路の通過を不許可とする制御手段と、を有することを特徴としている。
記
（１）投入された一葉化券の乗車券部分のみが有効で、その一葉化券のみが専用改札機の本体又は乗換口に設置された乗換口改札機の本体に投入されたときに、判定ＯＵＴとすること。
（２）投入された一葉化券のうち、乗車券部分のみが有効で、その一葉化券と当駅有効乗車券とが専用改札機の本体又は乗換口改札機の本体に同時に投入されたときに、判定ＯＵＴとすること。
（３）投入された一葉化券のうち、乗車券部分のみが有効で、その一葉化券と当駅有効特急券とが同時に専用改札機の本体又は乗換口改札機の本体に投入されたときに、一葉化券を当駅有効乗車券として処理し、判定ＯＫとすること。
（４）投入された一葉化券のうち、特急券部分のみが有効で、その一葉化券のみが専用改札機の本体又は乗換口改札機の本体に投入されたときに、判定ＯＵＴとすること。
（５）投入された一葉化券のうち、特急券部分のみが有効で、その一葉化券と当駅有効乗車券とが同時に専用改札機の本体又は乗換口改札機の本体に投入されたときに、一葉化券を当駅有効特急券として処理し、判定ＯＫとすること。
（６）投入された一葉化券のうち、特急券部分のみが有効で、その一葉化券と当駅有効特急券とが同時に専用改札機の本体又は乗換口改札機の本体に投入されたときに、判定ＯＵＴとすること。
（７）投入された一葉化券のうち、乗車券部分のみが有効で、かつ、当駅出場可能券で、その一葉化券と当駅有効乗車券とが同時に乗換口改札機の本体の入場側に投入されたときに、その一葉化券を当駅まで在来線乗車してきた券として処理し、その一葉化券と当駅有効乗車券とが同時に専用改札機の本体の入場側に投入されたときに、判定ＯＵＴとすること。
【０００８】
【発明の実施の形態】
以下、本発明の実施の形態を図面に基づいて説明する。図１は、一実施の形態に係る自動改札機の概略構成図であって、上記図４の優等列車乗換口に設置されている。そして、その本体Ｇの長手方向の一端側には、乗車券類の投入口１が設けられているとともに、他端側には、乗車券類を利用者に返却する取出口２が設けられている。
【０００９】
本体Ｇ内には、投入口１から複数枚の乗車券類（乗車券、特急券、一葉化券等の各種乗車券を含む。）が積層して一括投入されたときに１枚ずつに分離する分離部３が設けられているとともに、モータＭにより駆動されるベルトコンベアからなる周知の搬送路４が配設されている。この搬送路４は、整列搬送路４ａと主搬送路４ｂと排出搬送路４ｃとから構成されていて、このうち整列搬送路４ａは、投入口１から投入された乗車券類を整列する機能を有している。また、主搬送路４ｂと排出搬送路４ｃとの間には、本体Ｇ内に投入された乗車券類を取出口２へ返却することなく集札箱５へ回収するときに作動するウイングＷが設けられている。
【００１０】
主搬送路４ｂの搬送路中には、投入口１から取出口２に向かう搬送方向の上流側から順に、乗車券類に記録されている磁気データをそれぞれ読取るための磁気ヘッドＨ1 と、一対のストッパＳ1 ，Ｓ2 で形成される乗車券類を一時保持するプール部Ｐと、磁気ヘッドＨ1 で読取ったデータをマイクロコンピュータを中心に構成された制御器Ｃで演算処理し、その演算結果を乗車券類にそれぞれ書込むための磁気ヘッドＨ2 と、書込まれたデータが正しく記録されている否かをチェックするためベリファイ用の磁気ヘッドＨ3 が設けられている。また、排出搬送路４ｃには、乗車券類を一括して排出するためのストッパＳ3 からなるまとめ出し部Ｅが設けられている。
【００１１】
プール部Ｐの一対のストッパＳ1 ，Ｓ2 は、図示しないソレノイドで駆動されるとともに、主搬送路４ｂに直列に設けられていて、後述するＣＰＵの演算処理の結果、有効券と判定された乗車券類を１枚ずつ一時保留することができるように構成されている。また、まとめ出し部ＥのストッパＳ3 も図示しないソレノイドで駆動され、乗車券類が取出口２に排出されて利用者に返却される場合、それら乗車券類が取出口２に全て排出されるまで一時保留し、それら乗車券類が全て排出されてきたときに、取出口２に積層して一括で排出できるように構成されている。上記プール部Ｐは、上述の構造に限定されず、本体Ｇに投入された乗車券類を一時保留できる構造であれば採用することができる。また、本体Ｇが３枚以上の乗車券類を受け入れて処理できる場合、ストッパの数がそれに対応して増設される。なお、図示しないが、主搬送路４ｂには、演算結果によりパンチングの必要な乗車券類にパンチ孔をあけるためのパンチングユニットと、演算結果により印字の必要な乗車券類に所定の内容を印字するためのサーマルヘッドからなる印字ユニットとを有している。
【００１２】
図中９は、取出口２の近傍に設けられた表示画面からなる表示部であり、図示しないスピーカとともに、利用者に対して所定の案内を行えるように構成されている。また、図中Ｄは、改札通路イを開閉するドアであり、さらに、１０，１０…は、改札通路イにおける利用者位置を検知する人間検知器であって、改札通路イ方向に沿って所定の間隔を保って本体ａの側面に設けられている。
【００１３】
図２は、制御器Ｃの電気的構成を示すブロック図であって、中央処理部（ＣＰＵ）２０は、ＲＯＭ等の不揮発の記憶装置（図２ではＲＯＭ）２１に格納されているシステムプログラム及びＲＡＭ２２に格納されているワーキングデータに記憶されているデータを用いて演算処理を行ない、そして、このＣＰＵ２０は、Ｉ／Ｏユニット２３を介して、各磁気ヘッドＨ1 〜Ｈ3 と接続されたリードライト（Ｒ／Ｗ）ドライバ２４と、ウイングＷを駆動するウイングドライバ２５と、表示部９を制御する表示ドライバ２６と、各ストッパＳ1 ，Ｓ2 ，Ｓ3 用のソレノイド（図示せず）を駆動するソレノイドドライバ２７と、ドアＤを駆動するドアドライバ２８と、人間検知器１０，１０…のセンサアンプ２９とが接続されている。なお、このＩ／Ｏユニット２３には、モータＭの駆動ドライバや、パンチングユニットあるいはサーマルヘッドなどの各種ドライバなどが接続されているが、ここでは省略されている。
【００１４】
次に、図３のフローチャートに基づいて制御動作に就いて説明する。今、図４に示される甲駅（当駅）において、優先列車に乗車しようとする利用者によって、投入口１に乗車券類が積層して一括投入されたとする（ステップ１００。以下、ステップを「Ｓ」とする。）。
【００１５】
投入された乗車券類が複数枚で一括投入されたときは、分離部３で１枚ずつに分離され、磁気ヘッドＨ1 を介して記録されているデータの読取りが１枚ずつ行われる（Ｓ１０２）。そして、その読取られたデータを基にＣＰＵ２０において以下の判定処理が行われる（Ｓ１０４）。
【００１６】
（１）投入された一葉化券の乗車券部分のみが有効で、その一葉化券のみが専用改札機の本体又は乗換口に設置された乗換口改札機の本体に投入されたときに、判定ＯＵＴとすること。
（２）投入された一葉化券のうち、乗車券部分のみが有効で、その一葉化券と当駅有効乗車券とが専用改札機の本体又は乗換口改札機の本体に同時に投入されたときに、判定ＯＵＴとすること。
（３）投入された一葉化券のうち、乗車券部分のみが有効で、その一葉化券と当駅有効特急券とが同時に専用改札機の本体又は乗換口改札機の本体に投入されたときに、一葉化券を当駅有効乗車券として処理し、判定ＯＫとすること。
（４）投入された一葉化券のうち、特急券部分のみが有効で、その一葉化券のみが専用改札機の本体又は乗換口改札機の本体に投入されたときに、判定ＯＵＴとすること。
（５）投入された一葉化券のうち、特急券部分のみが有効で、その一葉化券と当駅有効乗車券とが同時に専用改札機の本体又は乗換口改札機の本体に投入されたときに、一葉化券を当駅有効特急券として処理し、判定ＯＫとすること。
（６）投入された一葉化券のうち、特急券部分のみが有効で、その一葉化券と当駅有効特急券とが同時に専用改札機の本体又は乗換口改札機の本体に投入されたときに、判定ＯＵＴとすること。
（７）投入された一葉化券のうち、乗車券部分のみが有効で、かつ、当駅出場可能券で、その一葉化券と当駅有効乗車券とが同時に乗換口改札機の本体の入場側に投入されたときに、その一葉化券を当駅まで在来線乗車してきた券として処理し、その一葉化券と当駅有効乗車券とが同時に専用改札機の本体の入場側に投入されたときに、判定ＯＵＴとすること。
【００１７】
上述の判定処理において、判定ＯＫとされれば（Ｓ１０６肯定）、ドアＤが開かれて（本体Ｇがノーマルオープン型のときはそのまま）、改札通路イの通過が許可される（Ｓ１０８）。他方、上述の判定処理において、判定ＯＵＴと判定されれば（Ｓ１０６否定）、ドアＤが閉じられて、改札通路イの通過が阻止される（Ｓ１１０）。
【００１８】
【発明の効果】
本発明に係る自動改札機は、本体に投入された乗車券に記録されているデータを読取る読取手段と、本体に投入された２面性の一葉化券を判定する手段と、判定がＯＫとされた時は、改札通路の通過を許可し、判定がＯＵＴとされたときは、改札通路の通過を不許可とする制御手段とからなるので、２面性の一葉化券を効率よく処理することができる。
【図面の簡単な説明】
【図１】本発明の一実施の形態に係る自動改札機の概略構成図である。
【図２】制御器の電気的構成を示すブロック図である。
【図３】制御動作を説明するためのフローチャートである。
【図４】優等列車乗換口の説明図である。
【符号の説明】
Ｇ  自動改札機の本体（本体）
１  投入口
２  取出口
３  分離部
４  搬送路
９  表示部
１０  人間検知器
Ｈ1 〜Ｈ3   磁気ヘッド
Ｅ  まとめ出し部
Ｓ1 ，Ｓ2 ，Ｓ3   ストッパ
Ｃ  制御器
【図１】
0004056688.tif 000002
【図２】
0004056688.tif 000003
【図３】
0004056688.tif 000004
【図４】
0004056688.tif 000005